(57)【要約】【課題】ほどよい大きさの注ぎ口を簡単に作れて、大容量である場合にも詰替え作業を行い易い、包装袋を提供する。【解決手段】フィルム壁１１をＷ字状に重ね、周縁をシールすることで内部に２股の収納空間を有するように構成した包装袋１０。Ｗ字状の２つの稜線部分２０、３０の相対応する位置に、破断強度を弱めた開封開始部２１、３１、３６を設けている。これらの開封開始部２１、３１、３６を摘んで、袋を破り開けていくと、フィルム壁１１のＷ字状に重なった部分が破断して「からす口」の如き注ぎ口が形成される。【選択図】図３
2008081152.tif 000002
【特許請求の範囲】
【請求項１】
フィルム壁（１１、１１’）をＷ字状に重ね、周縁をシールすることで内部に２股の収納空間（１３）を有するように構成した包装袋であって、
Ｗ字状の２つの稜線部分（２０、３０）の相対応する位置に、破断強度を弱めた開封開始部（２１、３１、３６）を設けたことを特徴とする、包装袋。
【請求項２】
上記開封開始部は、切欠き（２１、３１）、あるいは多数の突刺し孔（３５）からなる傷痕群（３６）で構成されていることを特徴とする、請求項１記載の包装袋。
【請求項３】
上記開封開始部から袋内方領域へ直進し、Ｗ字状に重ねられたフィルム壁部分（１１ａ）を超えた位置に、開封停止シール部（４１）が設けられていて、
当該開封停止シール部（４１）は、袋の周縁シール部（４０）を袋内方に向かって部分的に突出するよう拡張したシール部で構成されていることを特徴とする、請求項１記載の包装袋。
【請求項４】
上記開封停止シール部（４１）に、破断強度が弱められていて、破断の進行を周縁シール部（４０）へと導く案内線（４３）を形成したことを特徴とする、請求項３記載の包装袋。
【発明の詳細な説明】
【技術分野】
【０００１】
本発明は、粉状食品等を収容する包装袋に関する。さらに詳しくは、詰替用として利用するのに好適な包装袋に関する。
【背景技術】
【０００２】
詰替用の包装袋に収容して販売される粉コーヒー等は、従来から知られている。最初はビン入りの粉コーヒーを購入した消費者は、ビンが空になると、詰替用袋に入った粉コーヒーを購入し、空になったビンに詰め替える。
詰替用袋に入った粉コーヒーは、ビン入りのものよりも安価であるため、全体として消費者の出費を抑えることができる。
【０００３】
詰替用袋として利用できる包装袋は種々考案されており、例えば、特許文献１や特許文献２に示したもの等が知られている。
しかし、これらの文献に示された袋は、いずれも、袋体の上部を全開して使用するタイプであって、開封時の開口が大きすぎ、詰替え作業が不便となる。特に、詰め替えるビンの口が小さい場合には、粉体がこぼれてしまうこともある。
また、上部を全開して使用することを意図して作られた袋体を、その上部の一部分だけ開口させた状態に保って使用するには無理があって、徐々に開口部が大きく拡いていく等の不都合がある。
【０００４】
【特許文献１】実開昭４８−７７３２２号公報
【特許文献２】実開平５−２４５３４号公報
【発明の開示】
【発明が解決しようとする課題】
【０００５】
本発明は、上記諸事情に鑑みて、ほどよい大きさの開口（注ぎ口）を簡単に作れて、大容量である場合にも詰替え作業を行い易い、包装袋を提供することを目的とする。
【課題を解決するための手段】
【０００６】
本発明は、上記課題を有効に解決するために創案されたものであって、以下の特徴を備えた包装袋を提供する。
本発明の包装袋は、フィルム壁をＷ字状に重ね、周縁をシールすることで内部に２股の収納空間を有するように構成されている。そして、Ｗ字状の２つの稜線部分の相対応する位置に、破断強度を弱めた開封開始部を設けたことを特徴としている。
なお、「Ｗ字状に重ねる」とは、例えば、（１）１枚のフィルム壁をＷ字状に折り畳む場合、（２）対向する２枚のフィルム壁の間にＶ字状に折り畳んだ別のフィルム壁を挿入し、全体としてＷ字状とする場合、その他、（３）結果的にＷ字状に重なる場合を含む。
【０００７】
上記開封開始部は、破断強度が局所的に弱められた構成であればどのようなものであってもよい。例えば、「切欠き」や「多数の突刺し孔からなる傷痕群」を開封開始部とすることができる。
【発明の効果】
【０００８】
上記構成を備えた本発明の包装袋においては、Ｗ字状の２つの稜線部分に形成された開封開始部を摘んで、袋を破り開けていくと、フィルム壁のＷ字状に重なった部分が破断して「からす口」の如き注ぎ口が形成される。
したがって、この注ぎ口を利用して、詰替え作業を容易に行うことができる。
【発明を実施するための最良の形態】
【０００９】
本発明の実施形態を、添付の図面を参照して以下に説明する。図１は、本発明の一実施形態に係る包装袋１０を示す斜視図である。図２は、図１の包装袋１０を倒して、２股になった底部側を示したものである。
【００１０】
≪包装袋１０の全体構成≫
包装袋１０は、図３に示したように、フィルム壁１１をＷ折りにし、周縁をシールして構成されている。その結果、図４（ａ）の中央縦断面図に示したように、袋内部の収納空間１３は、２股状になっている。
【００１１】
Ｗ折りの部分に現れる２つの稜線部分２０、３０もシールされていて、このシール部にそれぞれ、開封開始部として、切欠き２１、３１を設けている。すなわち、切欠き２１、３１の部分には、応力が集中して破断強度が弱まるので、ここから簡単に開封作業を開始することができる。
【００１２】
なお、稜線部分２０、３０は折り目であるため、シールしなくても袋内部に収納空間１３を確保することはできる。しかし、密封性を保ったまま切欠き２１、３１を設けるために、稜線部分２０、３０にもシールを施している。
【００１３】
２つの切欠き２１、３１は、稜線２０、３０上の相対応する位置（ほぼ等しい位置）に設けられている。すなわち、包装袋１０を正面から見た場合に（図５）、２つの切欠き２１、３１は重なって見える。ただし、完全に重なっている必要はなく、後述するように２つの切欠き２１、３１を同時に摘んで破り開ける作業ができるものであれば、多少ズレていてもよい。
【００１４】
本発明においては、必ずしも、１枚のフィルム壁１１をＷ折りにする必要はない。例えば、図４（ｂ）に示したように、対向する２枚のフィルム壁１１の間にＶ字状に折り畳んだ別のフィルム壁１１’を挿入する等して、全体としてＷ字状に重なるように構成すれば足りる。
開封した後において、図７を参照して後述するような「からす口」の如き注ぎ口５０が形成されるものである限り、Ｗ字状に重ねるための具体的形態は問わない。
【００１５】
≪上記構成による作用≫
２股に分かれた稜線部分２０および３０を重ねて摘み、切欠き２１、３１の部分から、図５中斜め上方へ（矢印Ａ方向）破り開けると、フィルム壁１１のＷ折りされた部分１１ａが破り開けられる結果、図７に示したように、「からす口」の如き注ぎ口５０が形成される。
したがって、この注ぎ口５０を利用して、ビンへの詰替えを容易に行うことができる。
【００１６】
≪開封開始部として、傷痕群を利用する例≫
以上の例では、破断強度を弱めた開封開始部として切欠き２１、３１を用いているが、これに代えて、多数の突刺し孔３５で構成される傷痕群３６を採用することもできる。これは、図３中の円“Ａ”内に拡大して示したもので、シール部に小さな突刺し孔３５を多数形成し、これにより、破断強度を弱めたものである。
開封開始部として切欠きを利用する場合には、包装袋の輸送中等において、当該切欠き部に何らかの物体が引っ掛かって、不用意に破れてしまう等の可能性があるが、傷痕群３６を利用する場合には、引っ掛かりが存在しないので、そのような不都合はない。
【００１７】
開封開始部としては、以上の他にも、例えば、当該部分においてのみ積層構造を薄くしたり、粗面処理を施す等して、破断強度を弱めたりする等、適宜の構成を採用することができる。
【００１８】
≪開封停止シール部を設けた例≫
包装袋１０を、図５中に矢印Ａで示したように斜め上方に破り開けるには、消費者は破り開ける途中で力を入れる向きを変えるなど、僅かではあるが注意または工夫が必要となる。図６には、そのような労力が不要な構成を示した。
図６の包装袋では、図５の場合と異なり、切欠き２１、３１から真っ直ぐ上方に破り開けていく（矢印Ｂ）。直進する破断線の先には、開封停止シール部４１が存在する。
【００１９】
開封停止シール部４１は、フィルム壁１１のＷ折りされた部分１１ａを超えた位置に存在する。この開封停止シール部４１は、包装袋１０の周縁シール部４０の一部を、袋内方に向かって突出するように拡張して構成している。
【００２０】
切欠き２１、３１から真っ直ぐ上方に破り開けていっても（矢印Ｂ）、当該破断線が開封停止シール部４１に至った時点で、その抵抗により破断は停止する。その後は、開封停止シール部４１に沿って、袋の側方外部へと破り取れば（矢印Ｃ）、簡単に図７に示した如き注ぎ口を構成することができる。
【００２１】
なお、開封停止シール部４１に沿って、破断の進行を袋の側方外部へと確実に案内するために、図６中に破線で示したような案内線４３を形成しておくことが好ましい。「案内線」とは、この線に沿う破断強度を弱めたものであって、例えば、「一定間隔で設けた多数の貫通孔で構成されるミシン目」や、「フィルム壁１１の全厚を貫通するのではなく、途中まで切込みを入れたハーフカット」、その他適宜の構成を採用することができる。
【００２２】
図示した包装袋１０は、底部が２股に分かれた自立タイプのものであって、この２股を利用して、破り開けた場合に「からす口」のごとき注ぎ口５０が出現するように構成している。
しかし、本発明は、適当なＷ折り部を設けた包装袋であれば、自立タイプに限らず適用することができる。
【図面の簡単な説明】
【００２３】
【図１】本発明の一実施形態に係る包装袋を示す斜視図。
【図２】図１の包装袋を倒して底部を示す斜視図。
【図３】図１の包装袋のフィルム壁構造を説明する斜視図。
【図４】図１の包装袋の中央縦断面図。
【図５】図１の包装袋の正面図。
【図６】変形例に係る包装袋を説明する正面図。
【図７】図１の包装袋を破り開けて、注ぎ口が出現した状態を示す斜視図。
【符号の説明】
【００２４】
１０  包装袋
１１  フィルム壁
１１ａ  フィルム壁のＷ折りされた部分
１３  袋内部の収納空間
２０、３０  Ｗ折りの稜線部分
２１、３１  切欠き
３５  突刺し孔
３６  傷痕群
４０  周縁シール部
４１  開封停止シール部
４３  案内線
５０  注ぎ口
【図３】
2008081152.tif 000003
【図４】
2008081152.tif 000004
【図５】
2008081152.tif 000005
【図６】
2008081152.tif 000006
【図１】
2008081152.tif 000007
【図２】
2008081152.tif 000008
【図７】
2008081152.tif 000009